(57)【要約】【課題】人体に影響のある抗菌剤や防腐剤などを使用することなく、容器の内部に収容した物品の品質をできるだけ長期に保存することができる物品包装用容器を提供する。【解決手段】内部に物品ｂを収容して包装する物品包装用容器Ａにあって、前記物品包装用容器Ａにおける容器本体１は、プラスチック製であり、少なくとも、前記物品ｂが接触する前記容器本体１の内層部に、該容器本体１の成形時に抗菌性物質２を混在させる、あるいは、物品包装用容器の内部に、口元３より挿入した物品の抽出体５を設けて、この外層部に、該抽出体５の成形時に抗菌性物質２を混在させる。【選択図】    図２
2004231190.tif 000002
【特許請求の範囲】
【請求項１】
内部に物品を収容して包装する物品包装用容器にあって、
前記物品包装用容器における容器本体は、プラスチック製であり、少なくとも、前記物品が接触する前記容器本体の内層部に、該容器本体の成形時に抗菌性物質を混在させたことを特徴とする物品包装用容器。
【請求項２】
上部に口元を有し、内部に物品を収容して包装する物品包装用容器にあって、
前記物品包装用容器の内部に、前記口元より挿入した前記物品の抽出体を設けて、
この抽出体は、プラスチック製であり、少なくとも、前記物品が接触する前記抽出体の外層部に、該抽出体の成形時に抗菌性物質を混在させたことを特徴とする物品包装用容器。
【請求項３】
抽出体は、その外層部を有する外側部に突起体を設けたことを特徴とする請求項２記載の物品包装用容器。
【請求項４】
内部に物品を収容して包装する物品包装用容器にあって、
前記物品包装用容器における容器本体内において、前記物品が接触し得る位置の壁部に、物品品質保持部材を貼着させてなり、
前記物品品質保持部材は、基材と、この基材に設けた光触媒組成物層と、前記基材の一側面に設けた粘着層とを有することを特徴とする物品包装用容器。
【請求項５】
基材に設けた光触媒組成物層は、可視光の照射によって光触媒作用を示すことを特徴とする請求項３記載の物品包装用容器。
【請求項６】
基材は、容器本体内へ着脱自在に設けたことを特徴とする請求項３記載の物品包装用容器。
【発明の詳細な説明】
【０００１】
【産業上の利用分野】
本発明は、容器の内部に収容した物品の品質をできるだけ長期に保存することができる物品包装用容器に関する。
【０００２】
【従来の技術】
従来、容器に収容された目薬や化粧液などの内容物は、開封した後でも比較的長い間使用することがあるため、この使用時に、空気中の浮遊菌や落下菌，カビの胞子等が入り込んで、容器内での繁殖による前記内容物の品質劣化を生じさせないように、あらかじめ抗菌剤や防腐剤等を添加させてある。
そのため、使用者にあって、これら抗菌剤や防腐剤等に敏感に反応して、主たる内容物の使用ができないことがあった。
【０００３】
【発明が解決しようとする課題】
本発明は、前記した問題点を解決するためになされたもので、内部に物品を収容して包装する物品包装用容器にあって、前記物品包装用容器における容器本体は、プラスチック製であり、少なくとも、前記物品が接触する前記容器本体の内層部に、該容器本体の成形時に抗菌性物質を混在させることにより、人体に影響のある抗菌剤や防腐剤などを使用することなく、容器の内部に収容した物品の品質をできるだけ長期に保存することができる物品包装用容器を提供することを目的としている。
【０００４】
【課題を解決するための手段】
前記した目的を達成するための本発明の手段は、
内部に物品を収容して包装する物品包装用容器にあって、
前記物品包装用容器における容器本体は、プラスチック製であり、少なくとも、前記物品が接触する前記容器本体の内層部に、該容器本体の成形時に抗菌性物質を混在させた物品包装用容器の構成にある。
【０００５】
また、
上部に口元を有し、内部に物品を収容して包装する物品包装用容器にあって、
前記物品包装用容器の内部に、前記口元より挿入した前記物品の抽出体を設けて、
この抽出体は、プラスチック製であり、少なくとも、前記物品が接触する前記抽出体の外層部に、該抽出体の成形時に抗菌性物質を混在させた物品包装用容器の構成にある。
【０００６】
抽出体は、その外層部を有する外側部に突起体を設ける。
【０００７】
そして、
内部に物品を収容して包装する物品包装用容器にあって、
前記物品包装用容器における容器本体内において、前記物品が接触し得る位置の壁部に、物品品質保持部材を貼着させてなり、
前記物品品質保持部材は、基材と、この基材に設けた光触媒組成物層と、前記基材の一側面に設けた粘着層とを有する物品包装用容器の構成にある。
【０００８】
基材に設けた光触媒組成物層は、可視光の照射によって光触媒作用を示すものである。
【０００９】
基材は、容器本体内へ着脱自在に設ける。
【００１０】
【発明の実施の形態】
次に本発明に関する物品包装用容器の一実施例を図面に基づいて説明する。
図１においてＡは第一実施例の物品包装用容器で、内部に物品ｂを収容して包装する容器にあって、その容器本体１は、プラスチック製であり、少なくとも、物品ｂが接触する容器本体１の内層部に、該容器本体１の成形時に抗菌性物質２を混在させてある。
なお、物品ｂは、人体などに使用する薬品や化粧品等の液体や、食品等の流動物など鮮度保持や品質保持が必要なものが用いられる。
【００１１】
前記した容器本体１は、その成形にあって、ポリエチレンやポリプロピレン，ナイロン，ポリエステル等の塑性加工可能なプラスチック素材が用いられるもので、上部に物品ｂが出し入れされる口元３が設けられ、適宜、スクリュー式や打栓式のキャップ４により閉塞される。
【００１２】
前記した抗菌性物質２は、無機系抗菌剤が好ましく、例えば、その抗菌性組成物が銀イオンによりイオン交換されたメタ珪酸アルミン酸マグネシウムや珪酸チタン，ゼオライトなどが用いられるもので、容器本体１の成形に用いられるプラスチック素材へ比較的容易に混在し得るものである。
また、容器本体１中の抗菌性物質２の含有量が、容器本体１の重量に対して、１〜５重量％を有する。なお、この抗菌性物質２の配合比率は、必ずしもこの量に限定されるものではなく、物品ｂや容器本体１の使用素材などに応じて適宜変更し得るものである。
【００１３】
したがって、前記のように構成される本発明の物品包装用容器Ａの第一の実施例は、以下に述べる作用を奏する。
まず、物品ｂの充填包装に用いる容器本体１の成形にあって、あらかじめ、基材となるポリエチレン素材に抗菌性物質２を混練して、成形機（図示せず）における成形型（図示せず）へ供給し、所定の成形を行う。あるいは、この成形型（図示せず）への供給にあって、ポリエチレン素材と抗菌性物質２（ポリエチレン素材と混練したものも含む。）とを別々に圧送し、この抗菌性物質２が、物品ｂが接触する容器本体１の内層部に位置するように供給する。
【００１４】
これにより、少なくとも、容器本体１の内層部には、抗菌性物質２が存在する抗菌性物質層が形成される。なお、容器本体１の全体に抗菌性物質２が混入された場合であっても構わない。
【００１５】
この容器本体１へ物品ｂを充填包装し、口元３へキャップ４を施せば、該物品ｂは、容器本体１に密封包装された物品包装用容器Ａが作成される。
【００１６】
内容物である物品ｂは、容器本体１の内層部に形成された抗菌性物質２が、該容器本体１の略全体から透過し放射されて物品ｂへ作用し、この物品ｂの使用時に、空気中の浮遊菌や落下菌，カビの胞子等が入り込んで、容器本体１内で繁殖しようとしても、この抗菌性物質２によって容器本体１内に侵入した前記菌類の殺菌や滅菌を行って、内容物である物品ｂの品質劣化や鮮度劣化を生じさせることがない。
【００１７】
特に、内容物である物品ｂには、品質保持などのための抗菌剤や防腐剤等を添加させてないため、これら抗菌剤や防腐剤等に対する過敏な使用者へも安心した使用が望める。
【００１８】
次に、本発明に関する物品包装用容器の第二の実施例を説明するもので、図２および図４〜図５においてＡは第二実施例の物品包装用容器で、上部に口元３を有し、内部に物品ｂを収容して包装する容器Ａにあって、容器本体１の内部に、口元３より挿入した物品ｂの抽出体５を設けてあるもので、この抽出体５は、プラスチック製であり、少なくとも、物品ｂが接触する抽出体５の外層部に、該抽出体５の成形時に抗菌性物質２を混在させてある。
なお、物品ｂは、人体などに使用する薬品や化粧品等の液体や、食品等の流動物など鮮度保持や品質保持が必要なものが用いられる。
【００１９】
前記した容器本体１は、前記第一実施例と同様構成によるもので、その成形にあって、ポリエチレンやポリプロピレン，ナイロン，ポリエステル等の塑性加工可能なプラスチック素材が用いられるもので、上部に物品ｂが出し入れされる口元３が設けられ、適宜、スクリュー式や打栓式のキャップ４により閉塞される。
【００２０】
前記した抽出体５は、口元３より挿入（口元３に対して着脱自在とすることもできる。）して、図２〜図３にあっては、該口元３に嵌着してあって、その中心部に設けた通孔８より、容器本体１内の物品ｂの適量を抽出できるようにしてある。
この抽出体５は、その成形にあって、ポリエチレンやポリプロピレン，ナイロン，ポリエステル等の塑性加工可能なプラスチック素材が用いられる。
【００２１】
更に、この抽出体５にあっては、図４に示すように、物品ｂの抽出においてポンプ式のものも用いられるもので、ポンプ部材６付きのキャップ４と、このポンプ部材６へ接続させたホース部材７とからなるもので、これらの部材４，６，７等は、前記プラスチック素材により形成される。
【００２２】
前記した抗菌性物質２は、無機系抗菌剤が好ましく、例えば、その抗菌性組成物が銀イオンによりイオン交換されたメタ珪酸アルミン酸マグネシウムや珪酸チタン，ゼオライトなどが用いられるもので、抽出体５の成形に用いられるプラスチック素材へ比較的容易に混在し得るものである。
また、抽出体５中の抗菌性物質２の含有量が、抽出体５の重量に対して、１〜５重量％を有する。なお、この抗菌性物質２の配合比率は、必ずしもこの量に限定されるものではなく、物品ｂや抽出体５の使用素材などに応じて適宜変更し得るものである。
【００２３】
この抽出体５の成形にあって、あらかじめ、基材となるポリエチレン素材に抗菌性物質２を混練して、成形機（図示せず）における成形型（図示せず）へ供給し、所定の成形を行う。あるいは、この成形型（図示せず）への供給にあって、ポリエチレン素材と抗菌性物質２（ポリエチレン素材と混練したものも含む。）とを別々に圧送し、この抗菌性物質２が、物品ｂが接触する抽出体５の外層部に位置するように供給する。
【００２４】
これにより、少なくとも、抽出体５の外層部には、抗菌性物質２が存在する抗菌性物質層が形成される。また、ポンプ式の抽出体５の場合、ポンプ部材６およびポンプ部材６へ接続させたホース部材７にも抗菌性物質２が混在される。
なお、抽出体５の全体に抗菌性物質２が混入された場合であっても構わない。
更にまた、抗菌性物質２の混在にあっては、前記第一実施例において示した容器本体１へ抗菌性物質２を混入した該容器本体１と併用することができる。
【００２５】
また、この抽出体５は、物品ｂとの接触面積を可及的増大させて、容器本体１内の物品ｂと、できるだけ抗菌性物質２層が触れることができるようにするために、その外層部を有する外側部に突起体１０を設けてある。
この突起体１０は、例えば、図３に示すように、長さ方向へ連続させた複数条のひだ状に形成させる。
更に、図示してないが、放射状に多数個突出する棒状や間欠的な板材等でもよく、多数個からなる凹凸形状でもよい。
【００２６】
更に、この抽出体５は、既存の容器本体１へ取り付けることができるもので、図２に示すように、口元３へ嵌着させることでその固着がなされる。
【００２７】
したがって、前記した第二実施例の物品包装用容器Ａは、容器本体１の口元３へ取り付けた抽出体５は、該抽出体５の略全体に接触する容器本体１内の物品ｂに対して、少なくとも、容器本体１の外層部に形成された抗菌性物質２が、該抽出体５から透過して物品ｂへ作用し、この物品ｂの使用時に、空気中の浮遊菌や落下菌，カビの胞子等が入り込んで、容器本体１内で繁殖しようとしても、物品ｂと抽出体５との接触により、抽出体５に混在する抗菌性物質２によって、容器本体１内に侵入した前記菌類の殺菌や滅菌を行って、内容物である物品ｂの品質劣化や鮮度劣化を生じさせることがない。
【００２８】
なお、容器本体１内の物品ｂを適量ずつ抽出するこの抽出体５は、通孔８と連通させた連通孔１１を穿設してあって、容器本体１内に圧力が掛かっても通孔８からの物品ｂの飛び出しが防止され、容器本体１内の物品ｂの最後まで使用することができる。
【００２９】
更に、この例における抽出体５は、図４に示すような、既存のポンプ部材６付きキャップ４におけるホース部材７へ着脱自在に設けることができるもので、例えば、図５に示すように、ホース部材７の外周部を包持するように設けた主体１２の外周部に、長さ方向へ連続させた複数条のひだ状に形成させた突起体１３を設けてある。なお、主体１２の中心部には、ホース部材７を挿通させる取付孔１４を設けてある。
【００３０】
そして、この抽出体５には、少なくとも、該抽出体５の外層部は、抗菌性物質２が存在する抗菌性物質層が形成される。
したがって、この抽出体５にあって、既存の容器本体１への着脱ができて抗菌作用のための使用が可能となる。
【００３１】
次に、本発明に関する物品包装用容器の第三の実施例を説明するもので、図６においてＡは第三実施例の物品包装用容器で、上部に物品ｂが出し入れされる口元３が設けられ、適宜、スクリュー式や打栓式のキャップ４により閉塞されるものであって、該容器Ａの内部に物品ｂを収容して包装する。
なお、物品ｂは、飲料水や、人体などに使用する薬品・化粧品等の液体、食品等の流動物など鮮度保持や品質保持が必要なものが用いられる。
【００３２】
前記した容器本体１は、その成形素材は、前記第一および第二実施例と同様構成によるものを使用することができるで、他にも任意の形状や容量のものが用いられるものであって、その成形においては、ポリエチレンやポリプロピレン，ナイロン，ポリエステル等の塑性加工可能なプラスチック素材が用いられる。
また、該容器本体１の上部には、可搬が可能となる取っ手２６が設けられている。
この容器本体１は、災害時用の所定量（例えば、５〜２０リットル）の飲料水を長期に保存し得るものである。
【００３３】
また、この物品包装用容器Ａにおける容器本体１内において、物品ｂが接触し得る位置の壁部に、物品品質保持部材２０を貼着させてある。
この物品品質保持部材２０は、図７に示すように、基材２１と、この基材２１に設けた光触媒組成物層２２と、基材２１の一側面に設けた粘着層２３とを有する。
【００３４】
前記した基材２１は、物品包装用容器Ａにおいて、物品ｂへ容易に溶出しないあるいは悪影響を与えない素材が選定されるもので、例えば、不織布シートや紙シート，合成樹脂製シート，これらの複合シートなどが用いられる。
その形態にあっては、例えば、帯状でかつ薄厚状に形成してある。
また、基材２１の全体が可撓性を有することで、貼着時に、物品包装用容器Ａの内壁面に馴染んで、突出することなく他物と邪魔にならず、かつ、貼着性が良好となって該基材２１の離脱が防止される。
【００３５】
前記した光触媒組成物層２２は、可視光の照射によって光触媒作用を示すもので、例えば、酸化チタンやハイドロキシアパタイト，チタニアなどが用いられるものであり、微粉末に形成させた粒子状光触媒組成物の単体あるいは、他の化合物（例えば、シリカやアルミナ、ジルコニア、ゼオライト、セラミックスなど）を混合して所定の化合物としたものを、基材２１へ塗布やコーティング処理，溶射などの手段により設けたり、または、これら粒子状光触媒組成物の溶液中にドブ漬けなどの方法による含浸処理を行って、基材２１の略全体に対して万遍なく前記光触媒組成物が行き渡るように、例えば、所定厚の層状などに形成する。
なお、前記した可視光は、例えば、波長２５０ｎｍ〜５５０ｎｍ程度の範囲であって、直接照射される光以外も、光が直接照射されない面においてもその透過光によって、光触媒組成物層２２が光触媒活性作用（水などの物品に接する光触媒組成物に光が当たると、その接触表面において水を分解し、活性酸素を発生することで、この光触媒組成物付近に存在する細菌などと反応し、水などの物品に存在する該細菌を分解させる作用）により、滅菌や殺菌効果を発揮し、水などの物品の長期鮮度保持が図れる。
【００３６】
前記した粘着層２３は、基材２１を容器本体１内の内壁へ簡単に取り付けるためのもので、アクリル系やウレタン系の粘着剤が基材２１の一側面に塗工等されている。
また、この粘着層２３の最外層面には、慣用の剥離紙２４が貼着されていて、容器本体１に対してこの物品品質保持部材２０を用いるとき、該剥離紙２４を粘着層２３から剥がして、この粘着層２３面部を容易に容器本体１内壁に貼り付けて取り付けることができる。
この粘着層２３は、所定の接着力とかつ一定の剥離性を有するため、物品品質保持部材２０における基材２１は、容器本体１内へ着脱自在に設けることができると共に、経年使用後、適宜、剥がして新しいものと交換したり、あるいは、その貼着箇所数を複数に増やしたりすることができる。
【００３７】
したがって、この第三実施例にあって、物品品質保持部材２０をその剥離紙２４を剥がした状態で、物品包装用容器Ａにおける容器本体１内の壁部へ、その粘着層２３を介して貼着するだけで簡単に取り付けることができる。
そして、可視光が、基材２１に設けた光触媒組成物層２２へ当たることにより、該光触媒組成物層２２が光触媒作用を発揮して、例え、容器本体１内に収容した物品ｂに細菌などが混入していても、この光触媒作用により滅菌や殺菌処理をおこなって、容器本体１内の物品ｂを長期にわたってその品質の保持や維持を行うことができる。
特に、光触媒作用の発揮は可視光により行われるため、広い範囲における波長の太陽光を使用することができて、光触媒組成物層２２に対して万遍なく光線を照射させることができ、一層物品の品質の保持や維持が行われる。
【００３８】
【発明の効果】
前述のように構成される本発明は、物品は、容器本体の内層部や抽出体の外層部に形成された抗菌性物質が、該容器本体や抽出体の略全体から透過し放射されて物品へ作用し、この抗菌性物質によって容器本体内に侵入した菌類の殺菌や滅菌を行って、物品の品質劣化を生じさせることがない。
特に、物品には、品質保持のための抗菌剤や防腐剤等を添加させてないため、これら抗菌剤や防腐剤等に対する過敏な使用者へも安心した使用を行うことができる。
また、容器本体内に、可視光により光触媒作用を発揮する物品品質保持部材を設けることにより、容器本体内の物品を長期にわたってその品質保持を行うことができる。
【図面の簡単な説明】
【図１】本発明に関する物品包装用容器の第一の実施例を示す縦断正面図である。
【図２】本発明に関する物品包装用容器の第二の実施例を示す縦断正面図である。
【図３】図２における物品包装用容器の押圧体の他の例を示すもので、（ａ）はその斜視図、（ｂ）は底面図、（ｃ）は（ｂ）におけるＸ−Ｘ線の断面図である。
【図４】図２における物品包装用容器の押圧体の更に他の例を示す使用状態の縦断正面図である。
【図５】図２における物品包装用容器の押圧体の更にまた他の例を示すもので、（ａ）はその斜視図、（ｂ）は底面図、（ｃ）は使用状態の縦断正面図である。
【図６】本発明に関する物品包装用容器の第三の実施例を示す一部を破断した正面図である。
【図７】図６における物品包装用容器に用いる物品品質保持部材を示す説明図である。
【符号の説明】
Ａ…物品包装用容器．ｂ…物品．１…容器本体．２…抗菌性物質．３…口元．５…抽出体．１０…突起体．２０…物品品質保持部材．２１…基材．２２…光触媒組成物層．２３…粘着層
【図１】
2004231190.tif 000003
【図２】
2004231190.tif 000004
【図３】
2004231190.tif 000005
【図４】
2004231190.tif 000006
【図５】
2004231190.tif 000007
【図６】
2004231190.tif 000008
【図７】
2004231190.tif 000009